【手続補正書】
【提出日】令和2年9月8日(2020.9.8)
【手続補正１】
【補正対象書類名】特許請求の範囲
【補正対象項目名】全文
【補正方法】変更
【補正の内容】
【特許請求の範囲】
【請求項１】
第３計算装置との相互作用を介して、第２計算装置が第１計算装置を認証するためのシステムであって、
前記第１計算装置は、
第１通信インターフェースと、
前記通信インターフェースに接続され、前記第１計算装置において一時的（ｅｐｈｅｍｅｒａｌ）な第１の一時的同一性情報（ｔｒａｎｓｉｔｏｒｙ  ｉｄｅｎｔｉｔｙ）を取得し、前記第２計算装置及び前記第３計算装置に前記第１の一時的同一性情報を送信し、前記第２計算装置から一時的な第２の一時的同一性情報を受信し、前記第３計算装置に前記第２の一時的同一性情報を含む第１認証クエリを送信し、前記第３計算装置から前記第２計算装置が認証されているか否かの情報を受信することを含む操作を実行するためのプロセッサ実行可能命令を伴って構成された第１プロセッサと、を含み、
前記第２計算装置は、
第２通信インターフェースと、
前記通信インターフェースに接続され、前記第２計算装置において前記第２の一時的同一性情報を取得し、前記第１計算装置及び前記第３計算装置に前記第２の一時的同一性情報を送信し、前記第１計算装置から前記第１の一時的同一性情報を受信し、前記第３計算装置に前記第１の一時的同一性情報を含む第２認証クエリを送信し、前記第３計算装置から前記第１計算装置が認証されているか否かの情報を受信することを含む操作を実行するためのプロセッサ実行可能命令を伴って構成された第２プロセッサと、を含み、
前記第３計算装置は、
第３通信インターフェースと、
前記通信インターフェースに接続され、前記第１計算装置から前記第１の一時的同一性情報を受信し、前記第２認証クエリを受信し、前記第１計算装置からの前記第１の一時的同一性情報が前記第２計算装置からの前記第１の一時的同一性情報に一致するか否かを判定し、前記第１計算装置からの前記第１の一時的同一性情報が前記第２計算装置からの前記第１の一時的同一性情報に一致するか否かの判定に基づいて前記第１計算装置が認証されているか否かの情報を前記第２計算装置に送信し、前記第２計算装置から前記第２の一時的同一性情報を受信し、前記第１の一時的同一性情報を受信し、前記第１計算装置からの前記第２の一時的同一性情報が前記第２計算装置からの前記第２の一時的同一性情報に一致するか否かを判定し、前記第１計算装置からの前記第２の一時的同一性情報が前記第２計算装置からの前記第２の一時的同一性情報に一致するか否かの判定に基づいて前記第２計算装置が認証されているか否かの情報を前記第１計算装置に送信することを含む操作を実行するためのプロセッサ実行可能命令を伴って構成された第３プロセッサと、を含むシステム。
【請求項２】
前記第３計算装置のプロセッサは、前記第１計算装置及び前記第２計算装置の各々に、一時的な新しい一時的同一性情報を取得するための指示を送信することをさらに含む操作を実行するためのプロセッサ実行可能命令を伴って構成された、請求項１に記載のシステム。
【請求項３】
前記第３計算装置のプロセッサは、前記第１計算装置及び前記第２計算装置の各々に、前記第２計算装置からの前記第１の一時的同一性情報が前記第１計算装置からの前記第１の一時的同一性情報に一致しないという判定、及び前記第１計算装置からの前記第２の一時的同一性情報が前記第２計算装置からの前記第２の一時的同一性情報に一致しないという判定のうち１以上の判定に応じて、前記第１計算装置及び前記第２計算装置の各々に、前記新しい一時的同一性情報を取得するための指示を送信する操作を実行するためのプロセッサ実行可能命令を伴って構成された、請求項２に記載のシステム。
【請求項４】
前記第１計算装置のプロセッサ、前記第２計算装置のプロセッサ、及び前記第３計算装置のプロセッサは、アタッカーが前記第１の一時的同一性情報及び前記第２の一時的同一性情報を取得し、使用するために必要とされる決定された時間間隔よりも小さい周波数でそれぞれの動作を繰り返すためのプロセッサ実行可能命令を伴って構成された、請求項１に記載のシステム。
【請求項５】
前記第１計算装置のプロセッサは、
テキストストリング及び前記テキストストリングの暗号化されたバージョンを生成し、
前記第２計算装置に、生成された前記テキストストリングを送信し、
前記第３計算装置に、生成され前記暗号化されたテキストストリングを送信し、
前記第２計算装置から、前記第２計算装置に送信された前記テキストストリング及び前記第３計算装置に送信された前記暗号化されたテキストストリングに基づいて、前記第１計算装置が認証されているか否かの情報を受信し、
前記第２計算装置から前記第１計算装置が認証されたことを示す情報を受信することに応じて、前記第２計算装置との情報取引を実行することをさらに含む操作を実行するためのプロセッサ実行可能命令を伴って構成された、請求項１に記載のシステム。
【請求項６】
前記第１計算装置のプロセッサは、
前記第１計算装置からの暗号化された前記テキストストリングを復号化し、
復号化された前記テキストストリングを再暗号化し、前記第２計算装置が前記再暗号化されたテキストストリングと前記第１計算装置から前記第２計算装置に送信された前記テキストストリングとを比較することができるように、前記再暗号化されたテキストストリングを前記第２計算装置に送信することをさらに含む操作を実行するためのプロセッサ実行可能命令を伴って構成された、請求項５に記載のシステム。
【請求項７】
前記第２計算装置のプロセッサは、
前記第１計算装置から前記テキストストリングを受信し、
前記第３計算装置から再暗号化されたテキストストリングを受信し、
前記第１計算装置からの前記テキストストリングと前記第３計算装置からの前記再暗号化されたテキストストリングとが一致するか否かを判定し、
前記第１計算装置及び前記第３計算装置の少なくともいずれかに、前記第３計算装置からの前記再暗号化されたテキストストリングと前記第１計算装置からの前記テキストストリングとが一致するか否かの判定に応じて、前記第１計算装置の参加が認証されたか否かを示す情報を送信することをさらに含む操作を実行するためのプロセッサ実行可能命令を伴って構成された、請求項５に記載のシステム。
【請求項８】
前記第１計算装置のプロセッサは、
前記第３計算装置に静的情報の単位を送信し、
前記第２計算装置から、前記第２計算装置からの前記第１の一時的同一性情報が前記第１計算装置からの前記第１の一時的同一性情報に一致するという判定に基づく前記静的情報の単位を受信し、
前記第１計算装置で前記静的情報の単位を提示することをさらに含む操作を実行するためのプロセッサ実行可能命令を伴って構成された、請求項１に記載のシステム。
【請求項９】
前記第１計算装置のプロセッサは、前記静的情報の単位は人間が知覚できる表示器を含むように操作を実行するためのプロセッサ実行可能命令を伴って構成された、請求項８に記載のシステム。
【請求項１０】
前記第２計算装置のプロセッサは、
前記第１計算装置からの静的情報の単位を前記第３計算装置から受信し、
前記第２計算装置からの前記第１の一時的同一性情報が前記第１計算装置からの前記第１の一時的同一性情報に一致するという判定に基づいて、前記第１計算装置に前記静的情報の単位を送信することをさらに含む操作を実行するためのプロセッサ実行可能命令を伴って構成された、請求項１に記載のシステム。
【請求項１１】
前記第３計算装置のプロセッサは、
前記第１計算装置から静的情報の単位受信し、
前記第２計算装置からの前記第１の一時的同一性情報が前記第１計算装置からの前記第１の一時的同一性情報に一致するという判定に基づいて、前記第２計算装置に前記静的情報の単位を送信することをさらに含む操作を実行するためのプロセッサ実行可能命令を伴って構成された、請求項１に記載のシステム。
【請求項１２】
通信インターフェースと、
前記通信インターフェースに接続され、一時的な第１の一時的同一性情報を取得し、第２計算装置及び第３計算装置に前記第１の一時的同一性情報を送信し、前記第２計算装置から一時的な第２の一時的同一性情報を受信し、前記第３計算装置に前記第２の一時的同一性情報を含む認証クエリを送信し、前記第３計算装置から認証が成功したことを示す情報又は認証が失敗したことを示す情報が受信されたか否かを判定し、認証が成功したことを示す情報が受信されたという判定に応じて、前記第２計算装置との情報取引を実行することを含む操作を実行するためのプロセッサ実行可能命令を伴って構成されたプロセッサと、を含み、
前記プロセッサは、アタッカーが前記第１の一時的同一性情報及び前記第２の一時的同一性情報を取得し、使用するために必要とされる決定された時間間隔よりも小さい周波数で動作を繰り返すためのプロセッサ実行可能命令を伴って構成された、第１計算装置。
【請求項１３】
通信インターフェースと、
前記通信インターフェースに接続され、第１の他の計算装置から、情報取引を実行するためのリクエストを受信し、前記第１の他の計算装置から、前記第１の他の計算装置の一時的な一時的同一性情報を受信し、前記第１の他の計算装置の同一性を確認するための第２の他の計算装置に、前記一時的同一性情報を含むリクエストを送信し、前記第２の他の計算装置に、前記第１の他の計算装置の前記同一性が確認されたか否かを示す情報を受信し、前記第１の他の計算装置の前記同一性が確認されたか否かを示す情報に基づいて、前記情報取引の実行を有効にするか否かを示す情報を送信することを含む操作を実行するためのプロセッサ実行可能命令を伴って構成されたプロセッサと、を含み、
前記プロセッサは、アタッカーが前記一時的同一性情報を取得し、使用するために必要とされる決定された時間間隔よりも小さい周波数で動作を繰り返すためのプロセッサ実行可能命令を伴って構成された、計算装置。
【請求項１４】
第１の他の計算装置及び第２の他の計算装置との通信を構成する計算装置であって、
通信インターフェースと、
前記通信インターフェースに結合され、前記第１の他の計算装置から一時的な第１の一時的同一性情報を受信し、前記第２の他の計算装置から前記第１の一時的同一性情報を含む認証クエリを受信し、前記第１の他の計算装置からの前記第１の一時的同一性情報が前記第２の他の計算装置からの前記第１の一時的同一性情報に一致するか否かを判定し、前記第２の他の計算装置に、前記第１の他の計算装置からの前記第１の一時的同一性情報が前記第２の他の計算装置からの前記第１の一時的同一性情報に一致するか否かの判定に基づいて、前記第１の他の計算装置が認証されたか否かを示す情報を送信することを含む操作を実行するためのプロセッサ実行可能命令を伴って構成されたプロセッサと、を含み、
前記プロセッサは、アタッカーが前記第１の一時的同一性情報を取得し、使用するために必要とされる決定された時間間隔よりも小さい周波数で動作を繰り返すためのプロセッサ実行可能命令を伴って構成された、計算装置。
【請求項１５】
第１計算装置と第２計算装置との間の相互作用を第３計算装置のサポートを用いて認証する方法であって、
前記第１計算装置で一時的な第１の一時的同一性情報を取得し、
前記第２計算装置及び前記第３計算装置に前記第１の一時的同一性情報を送信し、
前記第２計算装置において、前記第１計算装置からの前記第１の一時的同一性情報を受信し、
前記第２計算装置で一時的な第２の一時的同一性情報を取得し、
前記第２計算装置から前記第１計算装置及び前記第３計算装置に前記第２の一時的同一性情報を送信し、
前記第１計算装置において、前記第２計算装置から前記第２の一時的同一性情報を受信し、
前記第１計算装置から前記第３計算装置に、前記第２の一時的同一性情報を含む第１認証クエリを送信し、
前記第２計算装置から前記第３計算装置に、前記第１の一時的同一性情報を含む第２認証クエリを送信し、
前記第３計算装置において、前記第１計算装置からの前記第１の一時的同一性情報を受信し、
前記第３計算装置において受信し、
前記第３計算装置において、前記第１計算装置からの前記第１の一時的同一性情報が前記第２計算装置からの前記第１の一時的同一性情報に一致するか否かを判定し、
前記第３計算装置によって、前記第１計算装置からの前記第１の一時的同一性情報が前記第２計算装置からの前記第１の一時的同一性情報に一致するか否か判定に基づいて、前記第１計算装置が認証されたか否かを示す情報を前記第２計算装置に送信し、
前記第３計算装置において、前記第２計算装置からの前記第２の一時的同一性情報を受信し、
前記第３計算装置において、前記第１認証クエリを受信し、
前記第３計算装置によって、前記第１計算装置からの前記第２の一時的同一性情報が前記第２計算装置からの前記第２の一時的同一性情報に一致するか否かを判定し、
前記第３計算装置によって、前記第１計算装置からの前記第２の一時的同一性情報が前記第２計算装置からの前記第２の一時的同一性情報に一致するか否かの判定に基づいて、前記第２計算装置が認証されたか否かを示す情報を前記第１計算装置に送信し、
前記第１計算装置において、前記第２計算装置が認証されたか否かを示す情報を前記第３計算装置から受信し、
前記第２計算装置において、前記第１計算装置が認証されたか否かを示す情報を前記第３計算装置から受信する方法。